(57)【要約】      （修正有）【課題】ガウン着用者または援助者が、ガウンの背中の開いた間隙を閉じるために、紐を素早く容易に結ぶことを可能にする、ガウンを提供する。【解決手段】ガウンには、延長された第１の紐３０が含まれており、第１の紐は、ガウンの背中の一方の端部に取り付けられ、次いで上方に向かって肩を越えて延在する第１の端部３２と共に、ガウンの正面に垂れ下がった自由端部４４を有している。延長された紐は、ガウンの肩付近に取外し可能にかつ一時的に留められる。ガウン着用者または援助者は、紐の結ばれていない端部を握って引っ張ることができ、これにより、取付け機構から紐が取り外されるようになっており、次いで紐を上方に引き上げて、着用者の首の後ろ回りに通し、かつ反対のサイドに沿って下方に通し、次いで着用者の胴の正面の位置で第２の紐に結びつける。これらの紐は、ガウンを結びつけるために着用者の背後に手を伸ばす必要性をなくす。【選択図】図１
2020063547.tif 000002
【特許請求の範囲】
【請求項１】
一人で着用することができる医療用ガウンであって、該医療用ガウンは、
正面部と、
互いに反対の側の、第１および第２のサイド部と、
互いに反対の側の左端部および右端部を有していて、該左端部と右端部との間に鉛直方向の開口が画定されている、背中部と
を有しており、
前記サイド部は、前記正面部と前記背中部との間に存在しており、
各部分は、上端部と下端部とを有しており、
前記正面部と前記背中部とはつながっていて、ネック開口および互いに反対の側の肩部を画定しており、
さらに当該医療用ガウンは、前記左端部または前記右端部のうちの一方に隣接して前記背中部に取り付けられた第１の端部と、第２の自由端部とを有する第１の紐と、
前記第１の紐の一部を、前記正面部に沿って下方に垂れ下がった前記第２の自由端部と共に前記肩部のうちの一方に一時的に保持するための、取外し可能なファスナと、
前記サイド部のうちの一方または前記正面部に取り付けられた第１の端部を有する第２の紐と
を有しており、
前記第１の紐の前記第２の自由端部は、着用者により保持されて、前記第１の紐を一方の前記肩部から取り外すために引っ張られると共に、着用者の背後に手を伸ばすことなく、前記背中部の前記開口を閉じるためにも引っ張られるようになっている、医療用ガウン。
【請求項２】
前記第１および第２の紐は、着用者により互いに反対の方向へ引っ張られ、着用者の胃の付近で互いに結ばれるようになっている、請求項１記載の医療用ガウン。
【請求項３】
前記第２の紐の前記第１の端部は、前記正面部と、前記第１の紐の前記第１の端部が取り付けられた一方の前記端部との間の前記サイド部に取り付けられている、請求項１記載の医療用ガウン。
【請求項４】
前記ファスナは、少なくとも１つのフックを有している、請求項１記載の医療用ガウン。
【請求項５】
前記ファスナには接着剤が含まれる、請求項１記載の医療用ガウン。
【請求項６】
人が着用するためのガウンであって、当該ガウンは、
ネック開口と、左右のアーム開口とを備えた正面布および背中布を有しており、
該背中布は、互いに反対の側の端部を備えた鉛直方向の開口を有しており、
さらに当該ガウンは、前記端部のうちの一方に隣接して前記背中布に取り付けられた第１の端部と、反対の側の第２の端部とを有する第１の紐と、
前記正面布に取り付けられた第２の紐と、
前記第１の紐の一部を、前記正面布に隣接して一時的に留めるためのファスナと
を有しており、
前記第１の紐の前記第２の端部は、着用者の肩を越えて前方に垂れ下がっている、ガウン。
【請求項７】
前記第１の紐と前記第２の紐とは、前記背中布の前記鉛直方向の開口を閉じるために、着用者の正面で結ばれる、請求項６記載のガウン。
【請求項８】
前記正面布と前記背中布とは、横方向の左半部および右半部を画定しており、前記第１および第２の紐はそれぞれ、前記正面布および前記背中布から成る、同一の横方向の半部に取り付けられた第１の端部を有している、請求項６記載のガウン。
【請求項９】
前記第１の紐の前記結ばれていない端部は、ガウン着用の際のいかなる時にも、着用者の背後を通ることはない、請求項６記載のガウン。
【請求項１０】
前記第１の紐は、前記鉛直方向の開口を閉じるために、着用者の首周りで引っ張られ、次いで下方に引っ張られ、次いで前方に引っ張られるようになっている、請求項６記載のガウン。
【請求項１１】
閉じた正面と開いた背中とを有し、かつガウンの前記背中に取り付けられた固定端部と自由端部とを備えた紐を有するガウンを結ぶ方法であって、
前記正面が着用者の正面に隣接しかつ前記背中が着用者の背中に隣接するように、着用者がガウンを着用するステップ、
第１の紐を、一時的に背中から上方に向かって延在させ、これにより前記紐の中間部が着用者の肩を越えるようにし、次いで下方に向かって前記紐の前記自由端部が着用者の正面に存在するようにするステップ、
一方の手で前記自由端部を握り、次いで該自由端部を頭上で反対側の肩に向かって引っ張り、これにより、前記紐を着用者の首の後ろ周りに通し、次いで着用者の正面の位置へ向かって前記紐を下方かつ前方に送るステップ、
他方の手で第２の紐の自由端部を握り、着用者の正面の位置へ引っ張るステップ、および
次いで前記各紐を、着用者の正面の位置に向けて互いに反対の方向に引っ張り、ガウンの開いた背中を閉じるステップ、および
次いで結ばれていない前記各端部を互いに結ぶステップ
を有する方法。
【請求項１２】
さらに、着用者がガウンを着用する前に、前記第１の紐を、前記ガウンの肩部に一時的に留めておくステップを有する、請求項１１記載の方法。
【請求項１３】
前記第１の紐の前記自由端部を引っ張って、前記肩部のファスナから前記第１の紐を取り外す、請求項１２記載の方法。
【請求項１４】
さらに、前記紐の前記自由端部を、着用者の頭上で半円形軌道の動作で移動させ、これにより、前記紐を着用者の首の後ろに通すステップを有する、請求項１３記載の方法。
【請求項１５】
前記紐の前記自由端部は、ガウン着用者により、その背後に手を伸ばすことなく握られる、請求項１１記載の方法。
【請求項１６】
前記紐の前記自由端部は、着用者の正面に立つ援助者により、着用者の背後に手を伸ばすことなく握られる、請求項１１記載の方法。
【発明の詳細な説明】
【技術分野】
【０００１】
本発明は、医療用ガウン等のガウンであって、背中が開いており、着用者がその背中の後ろに手を伸ばさずに背中の開口を閉じるように、ガウンを簡単に結ぶための紐を有するガウンに関する。当該ガウンは、伸長、ねじれまたは別の潜在的な医療問題を全く生ぜしめない、人間工学的な動作を可能にすると共に、太った／大柄な／肥満のユーザまたは首、背中および肩に問題／怪我のあるユーザが他人の手助け無しで腰紐を適切に締めることを可能にする。
【０００２】
発明の背景
医療用ガウン等のガウンはよく知られており、患者、医療スタッフ、ヘルスケアワーカー、病院ビジターおよびその他を含む着用者の身体を保護するために長く用いられてきた。一般的なガウンのデザインは、閉じた正面と開いた背中とを有しており、ユーザまたは着用者がその腕をアームホールまたは袖に通し、次いでガウンの背中側で紐を結んで開いた背中を閉じることができるようになっている。いくつかのガウンは、ユーザの首の後ろで結ぶために、ガウンの背中上部の紐、または択一的にフックやループクロージャも利用する。いくつかのガウンは、ガウンの正面またはサイドへ巻き付けて結ぶことができる、ガウンの背中側またはサイドの腰紐を利用する。腰で結ぶ紐を利用するこれらの従来技術によるガウンデザインは全て、ガウンを着用している人が腰で結ぶ紐を握るためにその背中に手を伸ばし、次いでガウンの背中を閉じてガウンを確実なものにするために紐を結ぶ操作を必要とする。これらの操作には時間がかかり、特に背中、首、肩にけがまたは問題を有する人には難しいまたは辛い場合がある。肥満の人々も、その背中に手を伸ばして従来式の結び紐を握ることに苦労する場合がある。いくつかの例では、ガウンを結んで閉じるために、患者の背中から正面へ腰紐を手渡すことができる同僚の援助が必要とされ、これには追加的な時間がかかると共に、同僚を他の仕事あるいは他の人または患者のケアから外すことになる。
【０００３】
よって、患者またはヘルスケアプロフェッショナルまたはヘルスケアワーカーが、他人の援助無しでその背中に手を伸ばすこと無しに自分のガウンを着用することを可能にする、素早く簡単なガウンデザインが必要とされている。
【０００４】
したがって本発明の第１の目的は、ガウン着用者が、その背中に手を伸ばすこと無しに容易に握ってガウンを閉じるように結ぶ操作を行うことができる腰紐を有するガウンを提供することにある。
【０００５】
本発明の別の目的は、着用者の手が容易に届き、ガウンの正面またはサイドで結ぶことができる一対の紐を有する医療用ガウンを提供することにある。
【０００６】
本発明のさらに別の目的は、着用者が腰または胸の正面から容易に握ることができるように、背中の端から上方に向かって肩を越え、次いで下方に向かって延在する、ガウンの肩部付近に一時的に取外し可能に留められる、腰で結ぶ紐を有するガウンを提供することにある。
【０００７】
本発明のさらに別の目的は、ガウン着用者または援助者が握ることができるように、ガウンの背中の端から上方に向かって着用者の肩を越え、ガウンの正面に沿って下方に向かって延在する、腰で結ぶ延長された紐を有するガウンを提供することにある。
【０００８】
本発明のさらに別の目的は、着用者がその背中に手を伸ばすこと無しに、ガウンの正面で結ぶことができるように、ガウンの正面で握り、着用者の頭上に引き上げ、次いで下方に向かって反対側に渡して腰で結ぶ紐を有する、背中が開いた医療用ガウンを提供することにある。
【０００９】
本発明のさらに別の目的は、背中に手を伸ばすこと無しに、正面またはサイドで素早く容易に結んで開いた背中を閉じることができる、背中が開いた医療用ガウンを提供することにある。
【００１０】
本発明のさらに別の目的は、製造が容易で費用対効果が高く、使用上、耐久性があり、安全かつ防護性を有する、クイック結び型の医療用ガウンを提供することにある。
【００１１】
これらの目的およびその他の目的は、本発明の以下の説明から明らかになる。
【００１２】
発明の概要
本発明のガウンは、医療用途または別の用途に使用され得る。当該ガウンには、袖またはアームホールおよびネック開口と共に、閉じた正面および開いた背中が含まれている。ガウンの背中には、人がその腕をアームホールに通しかつ首をネック開口内に入れることを可能にする、鉛直方向の開口が含まれている。延長された結び紐は、腰に隣接した背中開口の一方の端部に取り付けられた第１の端部を有している。紐は、上方に向かって着用者の肩を越えて延在しておりかつガウンの肩部に一時的に取り付けられており、紐の自由端部または結ばれていない端部は、着用者の正面で下方に向かって、ほぼ腰から胸の高さに垂れ下がっている。ガウン着用者、またはガウン着用者の正面に立つ援助者は、着用者の背後に手を伸ばすこと無しに、紐の自由端部を容易に握ることができる。次いで紐の自由端部を引き上げて、肩取付け部から紐を取り外す。次いで、着用者の頭および首の上方に紐を引き上げ、次いで下方に向かって着用者の胴周りに巻き付けるように引き下ろす。第２のより短い紐は、ガウンの、腰に隣接した一方のサイド部または正面部に取り付けられた第１の端部を有しており、着用者の他方の手で握ることができる。２本の紐は、互いに反対の方向に巻き付けられて着用者の正面で結ばれ、これにより、開いた端部が閉じられると共に、着用者の胴にガウンが締め付けられることになる。
【図面の簡単な説明】
【００１３】
【図１】本発明のガウンの第１の実施形態を後ろから見た図であって、ガウンはオープンネッククロージャを備えたフルバックデザインまたはオーバーヘッドデザインを有している。
【図２】本発明に基づきオープンネッククロージャまたはオーバーヘッドデザインを備えた、三角形の背中部分を有する択一的なガウンを後ろから見た図である。
【図３】本発明に基づきオープンネッククロージャまたはオーバーヘッドデザインを備えたガウンデザインの第３の実施形態を後ろから見た図である。
【図４】本発明に基づきフルオープンバックのガウンデザインの第４の実施形態を後ろから見た図である。
【図５】本発明に基づきハーフオープンバックデザインを有するガウンの第５の実施形態を後ろから見た図である。
【図６】ガウンの背中開口を閉じるための一対の結び紐を備えた、図１〜図５に示した全てのガウンを正面から見た図である。
【図７】共に結ばれた紐を示す、図６と同様の正面図である。
【００１４】
好適な実施形態の詳細な説明
図１〜図５に示すガウンの実施形態はそれぞれ、参照符号１０Ａ、１０Ｂ、１０Ｃ、１０Ｄおよび１０Ｅにより、識別される。ガウンは全て、正面部１２と、開口１５を備えた背中部１４とを含む、同じ基本構造を有している。ガウン１０Ａ〜１０Ｅは、長袖または半袖１６を有していてよいか、またはノースリーブであってもよいが、全てガウン着用時に着用者の手を通すアームホールを有している。正面部１２および背中部１４は、ガウンを着用者の頭上で着用することができるようにするために、着用者の首の後ろでガウン上部を結ぶための結び紐（図示せず）を含んでいてよいネック開口１８、または択一的に、図１に示すような弾性バンド２０、または図４および図５に示すような材料部分を規定している。各ガウン１０Ａ〜１０Ｅの背中部は、背中開口１５を規定する、それぞれ反対の側の左端部２２および右端部２４を有している。開いた背中は、人がガウンを素早く着用することを可能にする。ガウン１０Ａ〜１０Ｅはそれぞれ、左肩部２６および右肩部２８も有している。ガウン１０Ａ〜１０Ｅは、好適には一方の背中縁部２２，２４から横方向に取り囲んで正面まで、次いで横方向に取り囲んで他方の背中縁部２２，２４まで連続して延在しており、これにより実質的に、正面部１２、背中部１４および正面部と背中部との間の、互いに反対の側のサイド部でもって着用者の胴をカバーすることになる。
【００１５】
ガウン１０Ａ〜１０Ｅの上記構造は従来型であり、本発明の一部を構成するものではない。
【００１６】
本発明は、着用者がガウンの背中開口１５を閉じることができるようにするための、腰で結ぶ紐に関する。より詳細には、第１の延長された紐３０が、ガウンの、右端部２４または左端部２２のうちの一方に隣接した背中部１４に取り付けられた第１の端部３２を有している。図面には、第１の紐３０の、ガウンの右端部に取り付けられた第１の端部３２が示されているが、鏡像を使用して、紐３０はガウンの左端部に取り付けられた第１の端部３２を有することもできると理解される。紐３０は最初に上方に向かって、第１の端部３２が取り付けられた端部２２，２４と同じ左側または右側の肩部２６，２８のうちの一方を越えて延在している。紐３０には、ガウンの、紐３０の取り付けられた端部３２と同じ側の肩部２６，２８に紐３０の中間部を一時的に取外し可能に保持しておくまたは留めておくための、ファスナ３４が含まれている。択一的に、ファスナ３４はガウンの肩部２６または２８に設けられていてもよい。例えばファスナ３４は、フックアンドループファスナ（ベルクロ）の一方の半部であり、他方の半部は紐３０に設けられていてもよい。択一的に、ファスナ３４はガウン着用前に紐３０に取外し可能に取り付けられたクリップ、スナップ、接着剤、または別の手段であってもよい。紐３０の自由端部または結ばれていない端部３８は、図６に示すように、着用者の肩を越えて下方に向かい、着用者の正面の、腰に隣接した位置まで延在している。
【００１７】
第２のより短い紐４０は、各図に示すように、ガウンに、好適には長い紐３０の第１の端部３２が取り付けられているのと同じ側において、袖１６の下方のほぼ腰の高さに取り付けられている。第２の紐４０の自由端部または結ばれていない端部４４には、着用者の第２の手が容易に届き得る。
【００１８】
使用において、ガウン１０Ａ〜１０Ｅは、背中部１４を開け、袖１６またはノースリーブガウンのアームホールに腕を通すことにより、正面から人に着用され得る。次いでガウン着用者は一方の手で、好適には肩取付け機構３４とは反対の側の手で、第１の紐３０の結ばれていない端部３８を握ることができる。例えば各図面では、ガウン着用者は好適にはその左手で、ガウン正面の胃の付近につり下がっている、紐３０の自由端部３８を握ることになる。次いで着用者は、その左手を上げて紐３０を引っ張り、これにより取付け機構３４から取り外す。次いで、着用者は左手を、頭上後側を取り囲むように移動させ、次いで左サイドへ渡し、これにより紐の中間部が首の後ろで、次いで下方に向かって左サイドに沿って引っ張られ、次いで胴正面へ渡され、これにより背中部１４の右端部が左に向かって引っ張られることになり、その結果、開口１５が閉じられる。次いで、着用者はその右手で第２の紐４０の結ばれていない端部４４を握ることができ、その胴正面を横切る互いに反対の方向に紐３０と紐４０とを引っ張って、腰に隣接した中央位置または非中央位置で結ぶことができる。よって着用者は、ガウン１０Ａ〜１０Ｅの開口１５を閉じるためにその背中または首に手を伸ばすこと無しに、紐３０の結ばれていない端部３８を容易に握り、この紐を半円形軌道の動作で引っ張ることができるようになっている。
【００１９】
第２の人員は必要とされないことが多いが、必要とされる場合には、ガウン着用者の背後に手を伸ばすこと無しに、かつガウンの背中を閉じるための第１の紐３０に関して上述した半円形軌道の動作と同様の動作を行うこと無しに、第１の人員に対するガウン１０Ａ〜１０Ｅの着用および紐３０，４０の結ばれていない端部３８，４４の把持を援助することができる、ということが理解される。
【００２０】
ファスナ３４の取外し可能な取付け機構は、長い紐３０が地面または床に垂れ下がることを防止しており、この垂れ下がりは、特に比較的長い結び紐を有する比較的大きなサイズのガウンにとって汚れたまたは不潔な状態をもたらす。
【００２１】
本発明を、好適な実施形態を用いて図示すると共に上で説明してきたが、本発明の意図する精神および範囲内で、多数の変更、代用および追加が成されてよい、ということが理解される。以上のことから、本発明は少なくとも、記載した目的の全てを達成する、ということが理解され得る。
【００２２】
請求するのは以下の通り：
１  一人で着用することができる医療用ガウンであって、該医療用ガウンは、
正面部と、
互いに反対の側の、第１および第２のサイド部と、
互いに反対の側の左端部および右端部を有していて、該左端部と右端部との間に鉛直方向の開口が画定されている、背中部と
を有しており、
前記サイド部は、前記正面部と前記背中部との間に存在しており、
各部分は、上端部と下端部とを有しており、
前記正面部と前記背中部とはつながっていて、ネック開口および互いに反対の側の肩部を画定しており、
さらに当該医療用ガウンは、前記左端部または前記右端部のうちの一方に隣接して前記背中部に取り付けられた第１の端部と、第２の自由端部とを有する第１の紐と、
前記第１の紐を、前記正面部に沿って下方に垂れ下がった前記第２の自由端部と共に前記肩部のうちの一方に一時的に保持するための、取外し可能なファスナと、前記サイド部のうちの一方または前記正面部に取り付けられた第１の端部を有する第２の紐と
を有しており、
前記第１の紐の前記第２の自由端部は、着用者により保持されて、前記第１の紐を一方の前記肩部から取り外すために引っ張られると共に、着用者の背後に手を伸ばすことなく、前記背中部の前記開口を閉じるためにも引っ張られるようになっている、医療用ガウン。
【００２３】
２  前記第１および第２の紐は、着用者により互いに反対の方向へ引っ張られ、着用者の胃の付近で互いに結ばれるようになっている、請求項１記載の医療用ガウン。
【００２４】
３  前記第２の紐の前記第１の端部は、前記正面部と、前記第１の紐の前記第１の端部が取り付けられた一方の前記端部との間の前記サイド部に取り付けられている、請求項１記載の医療用ガウン。
【００２５】
４  前記ファスナは、少なくとも１つのフックを有している、請求項１記載の医療用ガウン。
【００２６】
５  前記ファスナには接着剤が含まれる、請求項１記載の医療用ガウン。
【００２７】
６  人が着用するためのガウンであって、当該ガウンは、
ネック開口と、左右のアーム開口とを備えた正面布および背中布を有しており、
該背中布は、互いに反対の側の端部を備えた鉛直方向の開口を有しており、
さらに当該ガウンは、前記端部のうちの一方に隣接して前記背中布に取り付けられた第１の紐と、
前記正面布に取り付けられた第２の紐と、
結ばれていない一方の端部が着用者の肩を越えて前方に垂れ下がっている前記第１の紐を、前記正面布に隣接して一時的に留めるためのファスナと
を有している、ガウン。
【００２８】
７  前記第１の紐と前記第２の紐とは、前記背中布の前記鉛直方向の開口を閉じるために、着用者の正面で結ばれる、請求項６記載のガウン。
【００２９】
８  前記正面布と前記背中布とは、横方向の左半部および右半部を画定しており、前記第１および第２の紐はそれぞれ、前記正面布および前記背中布から成る、同一の横方向の半部に取り付けられた第１の端部を有している、請求項６記載のガウン。
【００３０】
９  前記第１の紐の前記結ばれていない端部は、ガウン着用の際のいかなる時にも、着用者の背後を通ることはない、請求項６記載のガウン。
【００３１】
１０  前記第１の紐は、前記鉛直方向の開口を閉じるために、着用者の首周りで引っ張られ、次いで下方に引っ張られ、次いで前方に引っ張られるようになっている、請求項６記載のガウン。
【００３２】
１１  閉じた正面と開いた背中とを有するガウンを結ぶ方法であって、
前記正面が着用者の正面に隣接しかつ前記背中が着用者の背中に隣接するように、着用者がガウンを着用するステップ、
第１の紐を、一時的に背中から上方に向かって着用者の肩を越えて延在させ、次いで下方に向かって前記紐の一方の自由端部が着用者の正面に存在するようにするステップ、
一方の手で前記自由端部を握り、次いで該自由端部を引っ張り、これにより、前記紐を着用者の首の後ろ周りに通し、次いで着用者の正面の位置へ向かって下前方に通すステップ、
他方の手で第２の紐の自由端部を握り、着用者の正面の位置へ引っ張るステップ、および
次いで前記各紐を、着用者の正面の位置に向かって互いに反対の方向に引っ張り、ガウンの開いた背中を閉じるステップ、および
次いで結ばれていない前記各端部を互いに結ぶステップ
を有する方法。
【００３３】
１２  さらに、着用者がガウンを着用する前に、前記第１の紐を、前記ガウンの肩部に一時的に留めておくステップを有する、請求項１１記載の方法。
【００３４】
１３  前記第１の紐の前記自由端部を引っ張って、前記肩部のファスナから前記第１の紐を取り外す、請求項１２記載の方法。
【００３５】
１４  さらに、前記紐の前記自由端部を、半円形軌道の動作で着用者の首の後ろに移動させるステップを有する、請求項１３記載の方法。
【００３６】
１５  前記紐の前記自由端部は、ガウン着用者により、その背後に手を伸ばすことなく握られる、請求項１１記載の方法。
【００３７】
１６  前記紐の前記自由端部は、着用者の正面に立つ援助者により、着用者の背後に手を伸ばすことなく握られる、請求項１１記載の方法。
【図１】
2020063547.tif 000003
【図２】
2020063547.tif 000004
【図３】
2020063547.tif 000005
【図４】
2020063547.tif 000006
【図５】
2020063547.tif 000007
【図６】
2020063547.tif 000008
【図７】
2020063547.tif 000009
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
一人で着用することができる医療用ガウンであって、該医療用ガウンは、
正面部と、
互いに反対の側の、第１および第２のサイド部と、
互いに反対の側の左端部および右端部を有していて、該左端部と右端部との間に鉛直方向の開口が画定されている、背中部と
を有しており、
前記サイド部は、前記正面部と前記背中部との間に存在しており、
各部分は、上端部と下端部とを有しており、
前記正面部と前記背中部とはつながっていて、ネック開口および互いに反対の側の肩部を画定しており、
さらに当該医療用ガウンは、前記左端部または前記右端部のうちの一方に隣接して前記背中部に取り付けられた第１の端部と、第２の自由端部とを有する第１の紐と、
前記第１の紐の一部を、前記正面部に沿って下方に垂れ下がった前記第２の自由端部と共に前記肩部のうちの一方に一時的に保持するための、取外し可能なファスナと、
前記サイド部のうちの一方または前記正面部に取り付けられた第１の端部を有する第２の紐と
を有しており、
前記第１の紐の前記第２の自由端部は、着用者により保持されて、前記第１の紐を一方の前記肩部から取り外すために引っ張られると共に、着用者の背後に手を伸ばすことなく、前記背中部の前記開口を閉じるためにも引っ張られるようになっている、医療用ガウン。
【請求項２】
前記第１および第２の紐は、着用者により互いに反対の方向へ引っ張られ、着用者の胃の付近で互いに結ばれるようになっている、請求項１記載の医療用ガウン。
【請求項３】
前記第２の紐の前記第１の端部は、前記正面部と、前記第１の紐の前記第１の端部が取り付けられた一方の前記端部との間の前記サイド部に取り付けられている、請求項１記載の医療用ガウン。
【請求項４】
前記ファスナは、少なくとも１つのフックを有している、請求項１記載の医療用ガウン。
【請求項５】
前記ファスナには接着剤が含まれる、請求項１記載の医療用ガウン。
【請求項６】
人が着用するためのガウンであって、当該ガウンは、
ネック開口と、左右のアーム開口とを備えた正面布および背中布を有しており、
該背中布は、互いに反対の側の端部を備えた鉛直方向の開口を有しており、
さらに当該ガウンは、前記端部のうちの一方に隣接して前記背中布に取り付けられた第１の端部と、反対の側の第２の端部とを有する第１の紐と、
前記正面布に取り付けられた第２の紐と、
前記第１の紐の一部を、前記正面布に隣接して一時的に留めるためのファスナと
を有しており、
前記第１の紐の前記第２の端部は、着用者の肩を越えて前方に垂れ下がっている、ガウン。
【請求項７】
前記第１の紐と前記第２の紐とは、前記背中布の前記鉛直方向の開口を閉じるために、着用者の正面で結ばれる、請求項６記載のガウン。
【請求項８】
前記正面布と前記背中布とは、横方向の左半部および右半部を画定しており、前記第１および第２の紐はそれぞれ、前記正面布および前記背中布から成る、同一の横方向の半部に取り付けられた第１の端部を有している、請求項６記載のガウン。
【請求項９】
前記第１の紐の前記結ばれていない端部は、ガウン着用の際のいかなる時にも、着用者の背後を通ることはない、請求項６記載のガウン。
【請求項１０】
前記第１の紐は、前記鉛直方向の開口を閉じるために、着用者の首周りで引っ張られ、次いで下方に引っ張られ、次いで前方に引っ張られるようになっている、請求項６記載のガウン。
【請求項１１】
閉じた正面と開いた背中とを有し、かつガウンの前記背中に取り付けられた固定端部と自由端部とを備えた第１の紐を有するガウンを結ぶ方法であって、
前記正面が着用者の正面に隣接しかつ前記背中が着用者の背中に隣接するように、着用者がガウンを着用するステップであって、前記着用者が前記ガウンを着用するステップを実施する前に、前記第１の紐の固定端部は、前記ガウンの前記背中の右側の端部または左側に取り付けられており、前記第１の紐の自由端部は、前記固定端部が取り付けられた側と同じ前記背中の右側または左側の肩部を越えて、前記ガウンの前記正面の下方に向かって延在している、ステップ、
前記第１の紐を、一時的に背中から上方に向かって延在させ、これにより前記第１の紐の中間部が前記着用者の肩を越えるようにし、次いで下方に向かって前記第１の紐の前記自由端部が前記着用者の正面に存在するようにするステップ、
一方の手で前記自由端部を握り、次いで該自由端部を頭上で反対側の肩に向かって引っ張り、これにより、前記第１の紐を着用者の首の後ろ周りに通し、次いで着用者の正面の位置へ向かって前記第１の紐を下方かつ前方に送るステップ、
他方の手で第２の紐の自由端部を握り、着用者の正面の位置へ引っ張るステップ、および
次いで前記各紐を、着用者の正面の位置に向けて互いに反対の方向に引っ張り、ガウンの開いた背中を閉じるステップ、および
次いで結ばれていない前記各端部を互いに結ぶステップ
を有する方法。
【請求項１２】
さらに、着用者がガウンを着用する前に、前記第１の紐を、前記ガウンの肩部に一時的に留めておくステップを有する、請求項１１記載の方法。
【請求項１３】
前記第１の紐の前記自由端部を引っ張って、前記肩部のファスナから前記第１の紐を取り外す、請求項１２記載の方法。
【請求項１４】
さらに、前記第１の紐の前記自由端部を、着用者の頭上で半円形軌道の動作で移動させ、これにより、前記第１の紐を着用者の首の後ろに通すステップを有する、請求項１３記載の方法。
【請求項１５】
前記肩部に設けられたファスナが前記第１の紐の前記中間部を一時的に保持し、前記第２の紐の固定端部が、前記ガウンに、前記第１の紐の自由端部が取り付けられた側と同じ側で、袖の下方の腰の高さに取り付けられており、その結果、前記紐の前記自由端部は、前記着用者により、その背後に手を伸ばすことなく握られる、請求項１１記載の方法。
【請求項１６】
前記肩部に設けられたファスナが前記第１の紐の前記中間部を一時的に保持し、前記第２の紐の固定端部が、前記ガウンに、前記第１の紐の自由端部が取り付けられた側と同じ側で、袖の下方の腰の高さに取り付けられており、その結果、前記紐の前記自由端部は、前記着用者の正面に立つ援助者により、前記着用者の背後に手を伸ばすことなく握られる、請求項１１記載の方法。
【外国語明細書】
2020063547.tif 000010
2020063547.tif 000011
2020063547.tif 000012
2020063547.tif 000013
2020063547.tif 000014
2020063547.tif 000015
2020063547.tif 000016
2020063547.tif 000017
2020063547.tif 000018
2020063547.tif 000019
2020063547.tif 000020
2020063547.tif 000021
2020063547.tif 000022
2020063547.tif 000023
2020063547.tif 000024
2020063547.tif 000025